(57)【要約】【課題】回転体の下流側における騒音を低減することができる構造を備えた流体装置を提供する。【解決手段】流体装置は、空気を送風する軸流ファン４０と、軸流ファン４０に吸入される空気の吸込口部３１と軸流ファン４０から空気を吹き出す吹出口部３２とが形成されたシュラウド３０と、を備えている。軸流ファン４０の回転軸の軸方向からみたときに吹出口部３２の内周壁面３５からシュラウド３０の外周縁部３３までの回転軸の径方向の距離を外周距離と定義する。また、軸流ファン４０の空気流最下流端４２から吹出口部３２の空気流最下流端３６までの回転軸の軸方向の高さを吹出口部高さと定義する。そして、吹出口部高さは外周距離が短くなるに伴って低くなるように形成されている。これにより、吹出口部３２から吹き出す空気と吹出口部３２との干渉が抑制され、ひいては騒音を低減できる。【選択図】図１
2014206146.tif 000002
【特許請求の範囲】
【請求項１】
流体を圧送する回転体（４０）と、
前記回転体（４０）に吸込される流体の吸込口部（３１）と、前記回転体（４０）から流体を吹き出す吹出口部（３２）と、が形成されたシュラウド（３０）と、を備え、
前記回転体（４０）の回転軸の軸方向からみたときに前記吹出口部（３２）の内周壁面（３５）から前記シュラウド（３０）の外周縁部（３３）までの前記回転軸の径方向の距離を外周距離とし、
前記回転軸の垂直方向からみたときに前記回転体（４０）の流体流最下流端（４２）から前記吹出口部（３２）の流体流最下流端（３６）までの前記回転軸の軸方向の高さを吹出口部高さと定義すると、
前記外周距離は、前記回転軸の周方向で変化しており、
前記吹出口部高さは、全周中で変化して形成されていることを特徴とする流体装置。
【請求項２】
前記流体は空気であり、前記回転体は軸流ファン（４０）であることを特徴とする請求項１に記載の流体装置。
【請求項３】
前記吹出口部高さは、前記外周距離が短くなる位置において低くなるように形成されていることを特徴とする請求項１または２に記載の流体装置。
【請求項４】
前記シュラウド（３０）の外周縁部（３３）のうち前記外周距離が最も短くなる位置と、前記回転軸と、を前記回転軸の径方向に結んだ線を仮想線（６０）と定義すると、
前記吹出口部（３２）のうち前記吹出口部高さが低く形成された部位は、前記回転軸の周方向において、前記仮想線（６０）から前記軸流ファン（４０）の回転上流側への長さと、前記仮想線（６０）から前記軸流ファン（４０）の回転下流側への長さと、が異なっていることを特徴とする請求項２または３に記載の流体装置。
【請求項５】
前記吹出口部（３２）のうち前記吹出口部高さが低く形成された部位は、前記回転軸の周方向において、前記仮想線（６０）から前記軸流ファン（４０）の回転下流側への長さが、前記仮想線（６０）から前記軸流ファン（４０）の回転上流側への長さよりも長いことを特徴とする請求項４に記載の流体装置。
【請求項６】
前記吹出口部（３２）のうち前記吹出口部高さが低く形成された部位は、前記回転軸の周方向において、前記仮想線（６０）を０°とすると、−１５°から＋３０°までの範囲に位置していることを特徴とする請求項５に記載の流体装置。
【請求項７】
前記吹出口部（３２）は、当該吹出口部（３２）のうちの空気出口部位の内周壁面（３５）が前記軸流ファン（４０）の回転軸側に突出したベルマウス形状を有しており、
前記ベルマウス形状において、前記軸流ファン（４０）の回転軸の軸方向の高さをベルマウス高さとすると共に、前記吹出口部（３２）の内周壁面（３５）から前記軸流ファン（４０）の回転軸側に突出した幅をベルマウス幅と定義すると、
前記吹出口部（３２）のうち前記吹出口部高さが低くされた部位のベルマウス形状は、前記吹出口部（３２）のうち前記吹出口部高さが低くされていない部位のベルマウス形状に対して、前記ベルマウス高さ及び前記ベルマウス幅が小さく形成されていることを特徴とする請求項２ないし６のいずれか１つに記載の流体装置。
【請求項８】
前記吹出口部（３２）のうち前記吹出口部高さが低く形成された部位のベルマウス形状におけるベルマウス高さは、当該ベルマウス形状のベルマウス幅よりも小さく形成されていることを特徴とする請求項７に記載の流体装置。
【発明の詳細な説明】
【技術分野】
【０００１】
本発明は、シュラウドに流体を通過させる流体装置に関する。
【背景技術】
【０００２】
従来より、複数のブレードを持つ軸流ファンと、ファンシュラウドと、を備えた送風装置が例えば特許文献１で提案されている。ファンシュラウドは周囲壁を有すると共に、周囲壁の一部が凹んだ筒状部を備えている。軸流ファンは筒状部に配置されている。
【０００３】
また、筒状部には、空気流の連通を確保するための開口部が設けられている。この開口部の中心には複数のモータステーによってモータが支持されている。さらに、ファンシュラウドは、開口部の端部に、軸流ファン側から開口部側へと向かって広がるベルマウス形状を有するリップ部を備えている。
【０００４】
このような構成の送風装置では、ファンシュラウドの周囲壁の外周部と開口部の外周部との距離が開口部の周方向において異なっている。また、モータの駆動によって軸流ファンが回転すると、風は軸流ファン側からモータ側に向かって風が流れ、開口部を介してシュラウドの外に流れる。
【先行技術文献】
【特許文献】
【０００５】
【特許文献１】特開２０１０−２２２９７４号公報
【発明の概要】
【発明が解決しようとする課題】
【０００６】
しかしながら、開口部の外周部からシュラウドの周囲壁の外周部までの距離が開口部の周方向で異なっているので、軸流ファンの下流側において、開口部の周方向の特定位置で流体とシュラウドの周囲壁とが干渉して流速変動が発生する。このため、騒音が発生するという問題があった。
【０００７】
なお、従来の送風装置では流体として空気（気体）が取り扱われているが、上記の騒音の問題は流体が気体の場合に限られず、流体が液体の場合にも同様に発生する。
【０００８】
本発明は上記点に鑑み、回転体の下流側における騒音を低減することができる構造を備えた流体装置を提供することを目的とする。
【課題を解決するための手段】
【０００９】
上記目的を達成するため、請求項１に記載の発明では、流体を圧送する回転体（４０）と、回転体（４０）（４０）に吸込される流体の吸込口部（３１）と回転体（４０）から流体を吹き出す吹出口部（３２）とが形成されたシュラウド（３０）と、を備え、以下の点を特徴としている。
【００１０】
まず、回転体（４０）（４０）の回転軸の軸方向からみたときに吹出口部（３２）の内周壁面（３５）からシュラウド（３０）の外周縁部（３３）までの回転軸の径方向の距離を外周距離とし、回転軸の垂直方向からみたときに回転体（４０）の流体流最下流端（４２）から吹出口部（３２）の流体流最下流端（３６）までの回転軸の軸方向の高さを吹出口部高さと定義する。
【００１１】
そして、外周距離は、回転軸の周方向で変化している。また、吹出口部高さは、全周中で変化して形成されていることを特徴とする。
【００１２】
これによると、吹出口部（３２）から吹き出す流体のうち速度成分が増加する部位と吹出口部（３２）との干渉が抑制されるので、吹出口部（３２）から吹き出す流体の流速変動を抑制することができる。したがって、騒音を低減することができる。
【００１３】
なお、この欄及び特許請求の範囲で記載した各手段の括弧内の符号は、後述する実施形態に記載の具体的手段との対応関係を示すものである。
【図面の簡単な説明】
【００１４】
【図１】本発明の第１実施形態に係る送風装置の側面図である。
【図２】シュラウドを吹出口部側から見た平面図である。
【図３】（ａ）は図２のＡ−Ａ断面図であり、（ｂ）は図２のＢ−Ｂ断面図である。
【図４】軸流ファンの下流側の音圧レベルの測定結果を示した図である。
【図５】第２実施形態に係るシュラウドを吹出口部側から見た平面図である。
【図６】第３実施形態に係るシュラウドの断面図であり、（ａ）は図２のＡ−Ａ断面に対応する図、（ｂ）は図２のＢ−Ｂ断面に対応する図である。
【図７】第４実施形態に係るシュラウドを吹出口部側から見た平面図である。
【図８】（ａ）は図７のＣ−Ｃ断面図、（ｂ）は図７のＤ−Ｄ断面図である。
【発明を実施するための形態】
【００１５】
以下、本発明の実施形態について図に基づいて説明する。なお、以下の各実施形態相互において、互いに同一もしくは均等である部分には、図中、同一符号を付してある。
【００１６】
（第１実施形態）
以下、本発明の第１実施形態について図を参照して説明する。本実施形態で示される流体装置は、自動車のコンデンサ及びラジエータの冷却に用いられる送風装置として構成されたものである。図１に示されるように、送風装置は、コンデンサ１０と、ラジエータ２０と、シュラウド３０と、軸流ファン４０と、モータ５０と、を備えて構成されている。
【００１７】
コンデンサ１０は、図示しない冷凍サイクル内を循環する冷媒と外気とを熱交換して冷媒を冷却する熱交換器である。また、ラジエータ２０は、エンジン冷却水と外気とを熱交換してエンジン冷却水を冷却する熱交換器である。コンデンサ１０は、ラジエータ２０の車両前方側すなわち空気流れ上流側に配置されている。コンデンサ１０及びラジエータ２０は連結されて一体化されている。
【００１８】
シュラウド３０は、モータ５０を保持すると共に、軸流ファン４０により誘起される空気流がコンデンサ１０及びラジエータ２０に流れるように空気流をガイドする部品である。シュラウド３０は、ラジエータ２０の車両後方側すなわち空気流れ下流側に配置されている。
【００１９】
また、シュラウド３０は、軸流ファン４０に吸込される空気の吸込口部３１と、軸流ファン４０から空気を吹き出す吹出口部３２と、を有している。吸込口部３１は、ラジエータ２０の背面すなわちラジエータ２０の車両後方側の面を覆っている。吹出口部３２は吸込口部３１と連通する筒状になっていると共に、外部とも連通している。
【００２０】
さらに、図２に示されるように、シュラウド３０の吹出口部３２の平面形状は円形になっている。一方、シュラウド３０の平面形状は矩形である。すなわち、シュラウド３０の外周縁部３３の平面形状が矩形状になっている。
【００２１】
軸流ファン４０は、図１に示されるように、空気を送風する複数のブレード４１を備えたファンである。軸流ファン４０は、回転軸を中心に回転するように構成されている。本実施形態では、軸流ファン４０はシュラウド３０の吹出口部３２の中空部分に配置されている。
【００２２】
モータ５０は、軸流ファン４０に回転動力を与える電動機であり、図示しないモータシャフトを有している。モータ５０は、シュラウド３０の吹出口部３２に設けられた複数のモータステー３４によって支持されている。そして、モータ５０はモータシャフトを回転させることにより軸流ファン４０を回転させ、軸流ファン４０の軸線方向すなわち回転軸の軸方向に空気流を発生させる。以上が、送風装置の全体構成である。
【００２３】
次に、シュラウド３０の吸込口部３１の具体的な形状について説明する。まず、軸流ファン４０の回転軸の軸方向からみたときに吹出口部３２の内周壁面３５からシュラウド３０の外周縁部３３までの当該回転軸の径方向の距離を外周距離と定義する。上述のように、シュラウド３０の平面形状すなわち軸流ファン４０の回転軸に垂直な面の形状は、吹出口部３２が円形であり、外周縁部３３が矩形である。したがって、外周距離は、軸流ファン４０の回転軸の周方向で一定ではなく変化している。言い換えると、外周距離は軸流ファン４０の回転角度に応じてそれぞれ異なっている。
【００２４】
そして、上述のように、シュラウド３０の吹出口部３２から吹き出す空気のうち外周距離が短い部位から吹き出す空気は、軸流ファン４０の回転軸の径方向の速度成分が増加する。ここで、軸流ファン４０の回転軸の垂直方向からみたときに軸流ファン４０の空気流最下流端４２から吹出口部３２の空気流最下流端３６までの回転軸の軸方向の高さを吹出口部高さと定義する。このとき、吹出口部高さは、軸流ファン４０の回転軸の周方向において、全周中で変化して形成されている。
【００２５】
より具体的には、吹出口部高さは、吹出口部３２から吹き出す空気の速度成分のうち回転軸の径方向の速度成分が増加するに伴って低くなるように形成されている。言い換えると、吹出口部高さは、外周距離が短くなる位置において低くなるように形成されている。
【００２６】
「吹出口部高さが低くされた範囲」は、吹出口部高さが他の場所よりも低くなっている部分の範囲である。したがって、吹出口部高さの低さが一定でなくても良い。本実施形態では、図１に示されるように、吹出口部３２の吹出口部高さのうち通常の部位の高さと短い部位の高さとの間の高さは階段状に変化している。
【００２７】
また、本実施形態では、軸流ファン４０の回転軸の周方向において、吹出口部３２の吹出口部高さが低くされた範囲は、図２に示されるように、シュラウド３０のうち外周距離が最も短くなる部分に対応する吹出口部３２の位置を中心に左右対称となっている。すなわち、吹出口部３２の吹出口部高さが低くされた範囲は、シュラウド３０のうち外周距離が最も短くなる部分に対応する吹出口部３２の位置から軸流ファン４０の回転上流側への長さと回転下流側への長さとが同じになっている。
【００２８】
シュラウド３０のうち外周距離が長くなる部位に対応する吹出口部３２の空気出口部位においては、図３（ａ）に示されるように、吹出口部３２のうちの空気出口部位の内周壁面３５が軸流ファン４０の回転軸側に突出したベルマウス形状になっている。これにより、空気がベルマウス形状に沿って流れるので、当該空気を整流することができる。
【００２９】
一方、シュラウド３０の吹出口部３２のうち外周距離が短くなる部位においては、図３（ｂ）に示されるように、ベルマウス形状は設けられていない。また、上記の「吹出口部高さを低くする」という手段は、吹出口部３２のうちベルマウス形状の部分を除去したとも言える。このように、シュラウド３０の吹出口部３２において音が発生する部分の吹出口部高さが低くなっているので、空気と吹出口部３２との干渉が抑制される。つまり、軸流ファン４０の下流側における空気の流速変動が抑制されて空気の流れの乱れが低減し、空気の流れが改善される。なお、図３（ｂ）ではモータステー３４を省略している。
【００３０】
発明者らは、吹出口部３２の吹出口部高さを一定にした従来品と、吹出口部３２のうち外周距離が短くなる部位の吹出口部高さを低くした本発明と、について軸流ファン４０の下流側の音圧レベルを測定した。図４に示される測定結果によると、上述のように吹出口部高さの一部を低くしたことにより、軸流ファン４０の下流側の音圧レベルが１．８ｄＢ低下した。すなわち、従来品よりも騒音を低減させることができた。
【００３１】
以上説明したように、シュラウド３０の吹出口部３２のうち吹出口部３２から吹き出す空気のうち速度成分が増加する部位、すなわち外周距離が短くなる部位の吹出口部高さを低くしているので、当該部位と空気との干渉を抑制することができる。これにより、吹出口部３２から吹き出す空気の流速変動が抑制され、ひいては騒音を低減することができる。
【００３２】
なお、本実施形態の記載と特許請求の範囲の記載との対応関係については、軸流ファン４０が特許請求の範囲の「回転体」に対応する。また、吹出口部３２の空気流最下流端３６が特許請求の範囲の「吹出口部の流体流最下流端」に対応し、軸流ファン４０の空気流最下流端４２が特許請求の範囲の「回転体の流体流最下流端」に対応する。
【００３３】
（第２実施形態）
本実施形態では、第１実施形態と異なる部分について説明する。本実施形態では、吹出口部３２のうち吹出口部高さが低くなっている範囲が、軸流ファン４０の回転方向に応じて設けられていることが特徴となっている。
【００３４】
まず、図５に示されるように、シュラウド３０の外周縁部３３のうち外周距離が最も短くなる位置と、回転軸と、を回転軸の径方向に結んだ線を仮想線６０と定義する。そして、吹出口部３２のうち吹出口部高さが低く形成された部位は、軸流ファン４０の回転軸の周方向において、仮想線６０から軸流ファン４０の回転上流側への長さと、仮想線６０から軸流ファン４０の回転下流側への長さと、が異なっている。すなわち、吹出口部３２のうち吹出口部高さが低くなっている範囲は、軸流ファン４０の回転軸の周方向で仮想線６０を中心に左右非対称になっている。
【００３５】
ここで、吹出口部３２から吹き出す空気は軸流ファン４０の回転方向に流れやすくなっている。したがって、吹出口部３２のうち吹出口部高さが低く形成された部位は、軸流ファン４０の回転軸の周方向において、仮想線６０から軸流ファン４０の回転下流側への長さが、回転上流側への長さよりも長くなっていることが好ましい。これにより、軸流ファン４０の回転方向に流れやすい空気と吹出口部３２の壁面との干渉をより効果的に低減することができる。
【００３６】
また、吹出口部高さが低く形成された具体的な長さは、仮想線６０を０°とすると、軸流ファン４０の回転軸の周方向において、−１５°から＋３０°までの範囲である。本実施形態では、図５に示されるように、シュラウド３０を吹出口部３２から見たときに軸流ファン４０の回転方向は時計回りになっている。したがって、吹出口部３２の吹出口部高さは仮想線６０を中心として−１５°から＋３０°の範囲が低く形成された部位となる。
【００３７】
以上のように、本実施形態では、軸流ファン４０の回転方向に応じて吹出口部３２の吹出口部高さの範囲を規定している。これにより、軸流ファン４０の回転方向に流れた空気と吹出口部３２との干渉によってシュラウド３０から吹き出す風量が減少してコンデンサ１０やラジエータ２０の冷却性能が下がってしまうことを防止することができる。
【００３８】
（第３実施形態）
本実施形態では、第１、第２実施形態と異なる部分について説明する。本実施形態では、図６（ａ）及び図６（ｂ）に示されるように、吹出口部３２において当該吹出口部３２の吹出口部高さが低くされた範囲とそうでない範囲とに関係なく、軸流ファン４０の回転軸の周方向の全体にベルマウス形状が形成されている。
【００３９】
また、図６（ｂ）に示されるように、シュラウド３０の吹出口部３２のうち外周距離が短くなる部位すなわち吹出口部高さが低くなっている部位における吹出口部３２のベルマウス形状は、シュラウド３０のうち外周距離が長くなる部位すなわち吹出口部高さが低くなっていない部位における吹出口部３２のベルマウス形状よりも小さく形成されている。
【００４０】
具体的には、ベルマウス形状において、軸流ファン４０の回転軸の軸方向の高さをベルマウス高さとすると共に、吹出口部３２の内周壁面３５から軸流ファン４０の回転軸側に突出した幅をベルマウス幅と定義する。そして、吹出口部３２のうち吹出口部高さが低くされた部位のベルマウス形状は、吹出口部３２のうち吹出口部高さが低くされていない部位のベルマウス形状に対して、ベルマウス高さ及びベルマウス幅が小さく形成されている。また、吹出口部３２のうち吹出口部高さが低く形成された部位のベルマウス形状におけるベルマウス高さは、当該ベルマウス形状のベルマウス幅よりも小さく形成されている。
【００４１】
このように、吹出口部３２のうち吹出口部高さが低くなっている部位においてもベルマウス形状を設けると共に、そのサイズを小さくすることで吹出口部高さを低くすることができる。また、吹出口部３２のうち吹出口部高さが低くなっている部位においても空気をベルマウス形状によって整流することができる。
【００４２】
（第４実施形態）
本実施形態では、第１〜第３実施形態と異なる部分について説明する。本実施形態では、図７に示されたシュラウド３０は、図８の各断面図示されるように、吹出口部３２の空気出口部位にはベルマウス形状が設けられていない。このように、シュラウド３０は、吹出口部３２にベルマウス形状が設けられていない構造であっても良い。
【００４３】
（他の実施形態）
上記各実施形態で示された送風装置の構成は一例であり、上記で示した構成に限定されることなく、本発明を実現できる他の構成とすることもできる。例えば、送風装置は少なくともシュラウド３０と軸流ファン４０とを備えた構成でも良い。
【００４４】
また、吹出口部３２のうち吹出口部高さが通常の部位と吹出口部高さが低く形成された部位とは連続的になっていても良い。すなわち、吹出口部３２の吹出口部高さは、外周距離が短くなる位置において低くなるように形成されていれば良いので、吹出口部高さがテーパ状、あるいはスロープ状に連続的に変化していても良い。このように、吹出口部３２の吹出口部高さは連続的及び断続的（不連続的）のどちらに形成されていても良い。
【００４５】
第２実施形態では、吹出口部高さが低く形成された角度範囲が示されているがこれは一例である。したがって、シュラウド３０が用いられる状況に応じて角度範囲を適宜設定すれば良い。
【００４６】
上記各実施形態で示された吹出口部３２のベルマウス形状は一例である。もちろん、ベルマウス高さやベルマウス幅についてもシュラウド３０の形状に応じて適宜設定すれば良い。
【００４７】
上記各実施形態では、流体装置は流体として空気（気体）を通過させる送風装置として構成されていたが、これは流体装置の構成の一例である。したがって、流体装置は流体として液体がシュラウド３０を通過するように構成されていても良い。また、シュラウド３０に流体を通過させるための軸流ファン４０についても当該軸流ファン４０には限られず、流体装置の構成に合わせて流体を圧送することができる回転体を用いることができる。
【符号の説明】
【００４８】
３０  シュラウド
３１  吸込口部
３２  吹出口部
３３  外周縁部
３５  内周壁面
３６  吹出口部の空気流最下流端
４０  軸流ファン
４２  軸流ファンの空気流最下流端
６０  仮想線
【図１】
2014206146.tif 000003
【図２】
2014206146.tif 000004
【図３】
2014206146.tif 000005
【図４】
2014206146.tif 000006
【図５】
2014206146.tif 000007
【図６】
2014206146.tif 000008
【図７】
2014206146.tif 000009
【図８】
2014206146.tif 000010